(57)【要約】【課題】本発明の目的は、伝統的なケーソン工法と圧入式ケーソン工法に適用できる一種のケーソン構造及びその応用工法の提示することである。【解決手段】このため、ケーソン工法に適応できる。そのケーソン構造は、一つの箱状の躯体の中に一つの貫通孔があり、貫通孔片端である第一開口部は本体の片側にあり、第一開口部から離れた側に第二開口部があり、第二開口部もその貫通孔に繋がっている。第一開口部と第二開口部、貫通孔を囲んで一つの壁面体があり、壁面体を貫通している複数の壁面貫通孔があり、壁面と平行している。本発明は、掘削を増やしたり、洗浄機具を壁面貫通孔に通して箱の下にある異物を破壊するため、地盤を破砕する準備作業時間を大幅に減らし、沈設作業の施工効率を上げ、同時に躯体が異物に接触して偏移が発生することを防ぐ。更に、掘削器具や清掃機具では掃除しきれない死角部分の清潔作業もし易くする。【選択図】図１
2016108925.tif 000002
【特許請求の範囲】
【請求項１】
ケーソン構造の一種であり、ケーソン工法に適応できる工法であり、一つの駆体と、その駆体の内部に貫通孔があって、その貫通孔に繋がっている第一開口部は駆体の片側にあって、第一開口部から離れている第二開口部もその貫通孔に繋がり、第一開口部と第二開口部、貫通孔を囲んでいる壁面体があり、その壁面体を貫通している複数の壁面貫通孔があって、壁面体と平行していることを特徴とするケーソン構造。
【請求項２】
前記壁面体の下端に複数の金属製刃口が分布されていて、その金属製刃口は壁面体の下端で逆角形の形状をしていることを特徴とする請求項１に記載のケーソン構造。
【請求項３】
前記壁面貫通孔を通す洗浄器具を含んでいることを特徴とする請求項１に記載のケーソン構造。
【請求項４】
前記壁面貫通孔を通す除去器具を含んでいることを特徴とする請求項１に記載のケーソン構造。
【請求項５】
ケーソン構造のケーソン応用工法の応用の一つの種類であり、以下の、
ステップ１：ケーソンを指定区域の地盤に圧入、
ステップ２：掘削機具で地盤にある異物を掘り出し、ケーソンから排出、
ステップ３：ケーソンを地盤に圧入、
ステップ４：ステップ２とステップ３を繰り返し、予定の深さまで沈下、
のステップを含むことを特徴とするケーソン構造のケーソン応用工法。
【請求項６】
前記ステップ２において、更に壁面貫通孔を通して壁面貫通孔の周囲にある異物を除去する除去器具の使用を含むことを特徴とする請求項５に記載のケーソン構造のケーソン応用工法。
【請求項７】
前記ステップ４の後で更にステップ５を含む、即ち壁面貫通孔を通す洗浄器具で駆体の底部にある異物を除去することを特徴とする請求項５に記載のケーソン構造のケーソン応用工法。
【請求項８】
ケーソン構造のケーソン応用工法の応用の一つの種類であり、以下の、
ステップＡ：駆体を指定区域の地盤に圧入、
ステップＢ：圧入設備を駆体の上部に設置し、その圧入設備は駆体に繋がる反力桁と反力桁に繋がるジャッキを含む、
ステップＣ：掘削機具で地盤にある異物を掘り出し、駆体から排出、
ステップＤ：ジャッキが反力桁を押す力を利用して駆体を沈下、
ステップＥ：ステップＣとステップＤを繰り返し、予定深度に沈設、
のステップを含むことを特徴とするケーソン構造のケーソン応用工法。
【請求項９】
前記ステップＣに壁面貫通孔に通して壁面貫通孔の周りの異物を除去する洗浄機具を含むことを特徴とする請求項８に記載のケーソン構造のケーソン応用工法。
【請求項１０】
前記ステップＥの後でステップＦを含む、即ち、壁面貫通孔に通す洗浄器具を利用してケーソンの底部にある異物を除去することを特徴とする請求項８に記載のケーソン構造のケーソン応用工法。
【発明の詳細な説明】
【技術分野】
【０００１】
本発明はケーソン工事に関する一種であり、特に伝統的なケーソン工法及び圧入式ケーソン工法のケーソン構造とその応用工法に関するものである。
【背景技術】
【０００２】
ケーソン工法は、道路、鉄道や河川などの橋梁基礎を作ることができ、現場で施工する場所打杭工法と比較して、地上で施工することによって品質や剛性は、良好な耐震性と安定性を有している。
【０００３】
さらに、場所打杭工法は広い施工面積が必要だが、それと比較してケーソン工法は、必要な面積が小さく、市街地に於ける狭窄空間内の施工にも、施工面積が小さい利点を発揮でき、さらに、橋梁基礎工、立坑工や河川改修工、建築基礎工及び地下室工事など幅広い運用が可能である。
【０００４】
ケーソン工法はケーソンを地盤内に沈める工法であるので、ケーソンの沈下作業の可否が施工過程おける非常に重要な工程の一つである。
伝統的なケーソン工法には、オープン・ケーソン工法やニューマチックケーソン工法、水中ケーソン工法、載荷工法がある。
伝統的な工法はケーソン底部の地盤を掘り越す必要があり、ケーソンの自重で沈下させる。
しかし、湧砂や地盤隆起などが発生する可能性があり、しかも、ケーソンの沈下時に不平衡な力を受け、ケーソンの垂直度が偏移する可能性がある。
したがって、現在では圧入式工法が多く採用されるようになった。
圧入式工法では、アンカーで反作用力を負担させ、油圧ジャッキの上下方向の交互作用によって、油圧ジャッキ上の治具が竹節状のロッドを挟んで垂直に動力を伝導し、さらに油圧ジャッキが竹節状のロッド上で刃先の抵抗力及びケーソン周りの摩擦力より大きな力を駆動させて、ケーソンを沈下させる。
【発明の概要】
【発明が解決しようとする課題】
【０００５】
伝統的なケーソン工法や圧入式ケーソン工法でも施工上の克服すべき問題がある。
主因はケーソン工事を始める前に、圧入する地盤の状況を検査しなければならず、固い岩盤がある場合にはそのままではケーソン工事が不可能であるので、先に岩盤を破砕処理し、沈下させる領域の土砂を入れ替えた後でケーソン工事が可能になる。
ここで、破砕や取り出し、置換等の前処理作業に多くの施工時間やスペース、輸送コストを消費し、ケーソンを沈下させる時に同時にこれらの作業が出来ないことからコストも高くなり、時間の浪費にもなる。
【０００６】
さらに、ケーソンを沈下させる時に遭遇する土砂に高低差がある場合には、土砂をすぐ破壊しないとケーソンが偏移することになる。
図１に示すように、ケーソン１を沈下させている時に遭遇した地盤Ｒには高低差があり、ケーソンの左下にある刃口１０が先に地盤Ｒに接触し、左の地盤Ｒをすぐ破壊しないとケーソンが傾いて、ケーソン１の偏移が施工精度に影響を与える。
さらに、図２に示したように、掘削機具を使ってケーソン内部の土砂を掘削する際、ケーソン１の壁１１は一定の厚みがあり、死角区域Ｒ１を形成することから、掘削機具では壁１１の下の区域Ｒ１にある土砂を掘ることができず、ケーソン１をスムーズに沈下させることができなくなる。
したがって、現在のケーソン工法は改善する必要がある。
【０００７】
本発明の目的は、伝統的なケーソン工法と圧入式ケーソン工法に適用できる一種のケーソン構造及びその応用工法の提示である。
【０００８】
前述した目的のように、本発明は一種のケーソン構造の提出であり、それには一つの躯体が含まれ、その躯体の中には一つの貫通孔があって、その貫通孔に繋がっている第一開口部は本体の片端にあって、第一穴から離れた側にある第二開口部もその貫通孔に繋がっていている。
その第一開口部と第二開口部、貫通孔を囲んで一つの壁面体があり、壁面体を貫通している複数の壁面貫通孔があって、その壁面と平行している。
【０００９】
また、本発明は、一種の応用を提示することであり、これはこれまで説明したようにケーソン構造のケーソン応用工法であり、以下のステップを含む。
ステップ１：ケーソンを指定区域の地盤に圧入。
ステップ２：掘削機具を用いて地盤上にある異物を掘り出し、ケーソン内部から排出。
ステップ３：ケーソンを地盤に沈下。
さらに、
ステップ４：ステップ２とステップ３を繰り返し、躯体を予定の深度まで沈下。
【００１０】
さらに、ステップ２において、洗浄機具を壁面貫通孔に通して、貫通孔周辺の異物を破壊する。
【００１１】
さらに、ステップ４の後でステップ５として、壁面貫通孔を通した洗浄器具で躯体底部にある異物を取り除く。
【００１２】
そのうえ、本発明はもう一種の応用を提示する。
これはこれまで説明したようにケーソン構造のケーソン応用工法であり、下のステップを含む。
ステップＡ：箱体を指定区域の地盤に圧入。
ステップＢ：圧入設備を躯体の上部に設置する。
圧入設備とは、ケーソンに繋がる反力桁と反力桁に繋がるジャッキを含む。
ステップＣ：掘削機具を用いて地盤上にある異物を掘り出し、躯体内から排出。
ステップＤ：ジャッキを用いて反力桁を圧し、ケーソンを沈下。
さらに、
ステップＥ：ステップＣとステップＤを繰り返し、予定深度まで沈下。
【００１３】
さらに、ステップＣにおいて、洗浄機具を壁面貫通孔に通して、貫通孔周辺の異物を破壊する。
【００１４】
さらに、ステップＥの後で、ステップＦとして、壁面貫通孔を通した洗浄器具で躯体底部にある異物を取り除く。
【課題を解決するための手段】
【００１５】
そこで、この発明は、上述不都合を除去するために、ケーソン構造の一種であり、ケーソン工法に適応できる工法であり、一つの駆体と、その駆体の内部に貫通孔があって、その貫通孔に繋がっている第一開口部は駆体の片側にあって、第一開口部から離れている第二開口部もその貫通孔に繋がり、第一開口部と第二開口部、貫通孔を囲んでいる壁面体があり、その壁面体を貫通している複数の壁面貫通孔があって、壁面体と平行していることを特徴とする。
また、ケーソン構造のケーソン応用工法の応用の一つの種類であり、以下の、
ステップ１：ケーソンを指定区域の地盤に圧入、
ステップ２：掘削機具で地盤にある異物を掘り出し、ケーソンから排出、
ステップ３：ケーソンを地盤に圧入、
ステップ４：ステップ２とステップ３を繰り返し、予定の深さまで沈下、
のステップを含むことを特徴とする。
更に、ケーソン構造のケーソン応用工法の応用の一つの種類であり、以下の、
ステップＡ：駆体を指定区域の地盤に圧入、
ステップＢ：圧入設備を駆体の上部に設置し、その圧入設備は駆体に繋がる反力桁と反力桁に繋がるジャッキを含む、
ステップＣ：掘削機具で地盤にある異物を掘り出し、駆体から排出、
ステップＤ：ジャッキが反力桁を押す力を利用して駆体を沈下、
ステップＥ：ステップＣとステップＤを繰り返し、予定深度に沈設、
のステップを含むことを特徴とする。
【発明の効果】
【００１６】
本発明の特徴は、以下のようである。
（１）本発明は、ケーソン沈下時に、それぞれの壁面貫通孔を通した洗浄器具を用いて躯体下端で壁面貫通孔周辺の遺物を同時に破壊することによって、沈下操作と岩盤破壊が同時に行えないという欠点を克服し、準備作業時間、施工スペースの浪費を大幅に削減でき、コスト効率の低下を改善し、施工効率を上昇できる。
（２）本発明は、ケーソン沈下時に高低差のある異物に遭遇した際、増設した洗浄機具を壁面貫通孔に通し、躯体下部と壁面貫通孔周辺の異物を破壊でき、ケーソンが不均衡な力を受けて偏移するのを防ぐことができる。
（３）本発明は、洗浄機具を壁面貫通孔に通し、躯体下部と壁面貫通孔周辺の異物を破壊することによって、掘削機具で掘るのが容易でない躯体下部の死角区域内のケーソン沈下の障害となる異物を克服できる。
（４）本発明は、洗浄機具を壁面貫通孔に通し、躯体下部と壁面貫通孔周辺の異物を破壊することによって、異物がケーソン底面の密封作業に影響を与える事を避けることができる。
【図面の簡単な説明】
【００１７】
【図１】図１は本発明の従来技術を示すケーソン工法の欠点の一つを示した透視断面図である。
【図２】図２はケーソン工法の別の欠点の一つを示した透視断面図である。
【図３】図３は本発明のケーソン構造立体図である。（実施例１）
【図４】図４は図３のＡ−Ａ位置の透視断面図図である。（実施例１）
【図５】図５は図３の１種類目のケーソン応用工法のフローチャートである。（実施例１）
【図６】図６は図５の施工時の透視断面図である。（実施例１）
【図７】図７は１種類目のケーソン応用工法の洗浄器具の透視断面図である。（実施例１）
【図８】図８は図３の２種類目のケーソン応用工法のフローチャート図である。（実施例１）
【図９】図９は図８の施工時の透視断面図である。（実施例１）
【発明を実施するための形態】
【００１８】
以下図面に基づいてこの発明の実施例を詳細に説明する。
【実施例１】
【００１９】
以下は添付された図と呼応し、本発明の構造がどのように組み合わされて、使用するかをより詳しく説明することによって、本発明の目的や技術内容、特徴及びその達成される効能をより簡単に理解できる。
【００２０】
本発明は図３及び図４で示すようなケーソン構造の一種を提示し、更に図６と図８に別々に示したように２種類のケーソン応用工法を提示する。
【００２１】
図３と図４に示す通り、ケーソン構造は躯体２が一つ、その躯体内部には貫通孔２０があり、貫通孔２０に繋がっている第一開口部２１は躯体の片端にあって、第一開口部から離れた位置にある第二開口部２２もその貫通孔に繋がっていている。
その第一開口部２１と第二開口部２２、貫通孔２０を囲んで一つの壁面体２３があり、壁面体２３を貫通している複数の壁面貫通孔２４があって、その壁面と平行している。
その中で幾つかの壁面貫通孔２４は、掘削器具や洗浄器具を壁面貫通孔２４に通し、除去機具や洗浄機具で２３壁の下にある異物を破壊し、異物が躯体２の偏移や沈下の障害にならないようにする。
その中で、異物というのは、地盤中の岩盤や、岩、土砂や鉱石など、工事に影響を与える媒介物質のことである。躯体２の沈下施工時、躯体２が沈下していく過程で先に金属製刃口２５が掘削機具（クラムシェル等）では届かない場所にある異物に接触した場合、掘削器具や洗浄器具を壁面貫通孔２４を通して躯体２底端の地盤で用いて躯体２が遭遇した異物を破壊し、躯体２をスムースに沈下できるようにする。
また、箱体２が沈下していく過程で、掘削機具が届かないような死角区域でも、同じように掘削器具や洗浄器具を壁面貫通孔２４に通して処理する方法で改善される。
【００２２】
このようにして、本発明は図１と図２に示すように岩盤に遭遇して沈下作業が難しくなったり、沈下が阻害されるような苦境に陥った場合であっても確実に効果的な改善ができる。
さらに、躯体２の内外の圧力を平衡にする目的で、ケーソン沈下時に地下水位線まで水を躯体内に入れるが、これによって掘削の過程で躯体２内部の水によって、水面下にある異物の状況を正確には把握できなくなり、そして掘削が出来なくなり、躯体２がスムースに沈下出来なくなる。
そのような場合に、除去器具や洗浄器具を壁面貫通孔２４に通して、水面下にある異物を破壊できる。
【００２３】
更に、本発明のケーソン構造は、図３と図４で示しているように、壁面体２３の下端に複数の金属製刃口２５を含んでいて、それらの金属刃口２５は壁面体２３の下端で鋭角部を下にした形になっている。
ケーソンを沈下させている時に、それらの金属製刃口２５は、土砂を排除し、また岩盤を切り裂く一助となり、それにより躯体２をスムースに沈下させられる。
それ以外にも、本発明は、それらの壁面貫通孔２４の効率を最大に発揮するために、本案の実施例において、それぞれの金属製刃口２５を躯体２の下端で、尚且つそれぞれの壁面貫通孔２４に抵触しないように設置している。
但し、本件は、この実施例の形態に限定されない。
【００２４】
さらに、本発明は他の先行技術と違う重要な技術的改善箇所は、図６と図７６で示しているように、壁面貫通孔２４を通している除去機具５と洗浄機具６を含んでいることである。
本件の沈設工事を行っている時、外部の掘削機具で駆体２の中の岩盤や土砂を除去するが、駆体２の底部に死角ができ、前述の掘削機具では除去するのが難しく、駆体２の沈設の障害になり施工に影響を及ぼし得る。
一旦、駆体２の底部が沈設中に異物に遭遇し、不均衡な力を受けて駆体２が偏移した場合、施工精度に影響を与える。
また大型岩盤や硬い岩盤に遭遇し沈設の障害になった場合には、除去機具５を壁面貫通孔２４に通し、壁２３の下端と壁面貫通孔２４の周囲にある異物を排除し、ケーソンが偏移したり停滞したりせずに、図１と図２に示しているような周知の欠点を克服し、ケーソンをスムースに沈設させられる。
【００２５】
前に述べたように、沈設工事を行っている時、内外の気圧を平衡に保つために駆体２に水を地下水位線まで入れる場合があるが、そのために水中にある異物の状況を正確には把握できなくなる。
そのような時、除去器具５を壁面貫通孔２４に通し、水中の異物を破壊する。
それ以外にも、駆体２を予定の深度まで沈設した後で、駆体２底面を密封する工程において、異物がこの作業に影響を与える事を避ける為に、洗浄器具６で駆体２の底部や内部の異物を金属製刃口２５に付いている異物を除去する。
これは、除去器具５で壁面体２３の下端や壁面貫通孔２４の周りにある異物を破壊し、洗浄器具６で駆体２の底部やその内部にある異物を除去することで、工事をより順調に、より効率よく完工させ、現在のケーソン圧入工法が直面している問題を完全に克服できる、新たな発明である。
今回の実施例の中で、地下水位線と予定深度は実際の施工で遭遇する状況であるので、これ以上は述べない。
今件の実施例において、除去器具５はブレーカーやオーガー、その他の壁面貫通孔２４を通して異物を破壊する器具を想定していて、洗浄機具６は圧力洗浄機やポンプ、サンドポンプ、或いは駆体２の底面の異物を除去する器具等を想定しているが、本件は、この実施例の形態に限定されない。
【００２６】
伝統的なケーソン工法に本発明のケーソン構造を応用した説明を続ける。
図５から図７までを参照せよ。
本発明で示したケーソン応用工法の一つは、以下のステップを含む。
ステップ１：上記で述べたケーソン構造の駆体２を指定区域Ｒ２の地盤に圧入。
ステップ２：掘削機具３を貫通孔２０に通して、地盤上にある異物を掘り出し、駆体２の内部から排出する。
ステップ３：駆体２を地盤に沈める。
ステップ４：ステップ２とステップ３を繰り返し、予定された深度に沈設する。
ステップ５：洗浄器具６を壁面貫通孔２４に通して、駆体２の底にある異物を除去し、それによって、異物の影響が駆体２底部の密封作業に影響を及ぼすのを避ける。
そのほかに、洗浄器具６を駆体２の内部の貫通孔２を通して駆体２底面にある異物を除去することもできる。
【００２７】
更に、ステップ２において、除去器具５は壁面貫通孔２４の周りにある異物を除去し、それによって駆体２が偏移して施工に影響するのを防ぐ。
その中で、本件の第一種類目のケーソン応用工法の手順は、伝統的なケーソン工法に適用できる。
例えば、オープンケーソン工法や、ニューマチックケーソン工法、水中ケーソン工法、載荷工法など、その工法は当該の地盤を先堀方式で掘削し、駆体２の自重を金属製刃口２５に伝達し、金属製刃口２５が地盤に切り込むのを利用して駆体２を沈下させる。
しかし、本件はその限りではない。
【００２８】
上記で説明した圧入式ケーソン工法に対する本発明のケーソン構造への応用について続ける。
図８、９を参考せよ。
本発明は、もう一つ別のケーソン応用工法を示す、その工法は以下のステップを含む。
ステップＡ：上記で説明したケーソン構造の駆体２を指定区域Ｒ２の地盤に圧入。
ステップＢ：圧入設備４を駆体２の上に設置し、その圧入設備４は、駆体２上端の少なくとも一つの反力桁４０に繋がっていて、また反力桁４０上端の少なくとも一台のジャッキ４１に繋がっている。
本件の実施例中には、反力桁４０は一つ、ジャッキ４１は二台が想定されているが、本件は、この実施例の形態に限定されない。
ステップＣ：掘削機具３を貫通孔２０から通して、地盤にある異物を掘り出し、更に駆体２の内部から排出する。
ステップＤ：ジャッキ４１の力を利用して反力桁を押し、駆体２を沈下させる。
ステップＥ：ステップＣとステップＤを繰り返し、ケーソンを予定深度まで沈下させる。
ステップＦ：洗浄器具６（図７を参照せよ）を壁面貫通孔２４に通して、箱体２の底面にある異物を除去し、さらに、洗浄器具６を貫通孔２０から通して、駆体２底部にある異物を除去する。
【００２９】
さらに、ステップＣにおいて、除去器具５を壁面貫通孔２４に通して、その周囲にある異物を除去し、それによって、駆体２が偏移して施工に影響することを防ぐ。
【００３０】
本発明の二種類目の応用工法の手順は、圧入式ケーソン工法に適用でき、且つ施工過程において、反力桁架４０やジャッキ４１の引張部材４２が複数交互に垂直に組み合わされて設置され、更に複数の引張部材４２の最下端が地盤上のアンカー４３１に固定されている。
アンカー４３が、施工中に反力桁４０とジャッキ４１、引張部材４２の連結強度及び安定度を与え、ジャッキ４１が引張部材４２上で反作用によって、連続した下向きの動作で反力桁４０を押し下げ、それによって駆体２を予定の深度まで押し下げる。
その中で、ジャッキは引張部材を挟む事ができる治具があり、それぞれの引張部材４２は、もう一つ別の引張部材４２と相互に繋ぐことで連続した一つの金属製連結部材になる。
アンカー４３は、複数のＰＣ鋼撚り線をその上に設置し固定した地盤上の一種の装置であり、その機能は、アンカー鋼線が主要な構造体を通して周辺の緊密な地層に伝達することであり、但し前述したジャッキ４１や引張部材４２、アンカー４３は現工法で既にあり、従ってここでは詳細な説明はしない。
【００３１】
上で述べたように、本発明は除去器具５を駆体２の壁面体２３の壁面貫通孔２４に通すことで、壁面体２３下端で且つそれぞれの壁面貫通孔２４周辺の異物を破壊し、周知の三種類の欠点を改善する。
且つ、ケーソン施工中に、駆体２内外を平行にするために駆体２内に水を地下水位線まで注入するが、掘削過程において水位以下にある異物が正確に把握できなくなり、駆体２をスムースに沈下出来なくなる。
また除去器具５を壁面貫通孔２４を通して水位以下の異物を破壊する。
それ以外にも、本発明は、洗浄器具６を駆体２の壁面体２３の壁面貫通孔２４に通すことで、駆体２の底部と金属製刃口２５に付着した異物を除去し、駆体２の底部の密封作業に影響するのを防ぐ。
【００３２】
しかし、上記は、本発明の好ましい実施例に過ぎない。
その目的は、その実施例によって本発明の内容を当該の担当者に十分に理解させるためであり、本発明の実施範囲を限定するものではない。
従って、本発明の実施例において説明した内容、すなわちこれまで記述したような形状や構造、特徴などのいわゆる均等の変更や修飾は、本発明の特許請求の範囲内に含めるべきである。
【符号の説明】
【００３３】
１  ケーソン
１０  刃口
１１  壁面体
Ｒ  地盤
Ｒ１  区域
２  躯体
２０  貫通孔
２１  第一開口部
２２  第二開口部
２３  壁
２４  壁面貫通孔
２５  金属製刃口
３  掘削機具
４  圧入設備
４０  反力桁
４１  ジャッキ
４２  引張部材
４３  アンカー
５  洗浄器具
６  除去器具
Ｒ２  予定区域
【図１】
2016108925.tif 000003
【図２】
2016108925.tif 000004
【図３】
2016108925.tif 000005
【図４】
2016108925.tif 000006
【図５】
2016108925.tif 000007
【図６】
2016108925.tif 000008
【図７】
2016108925.tif 000009
【図８】
2016108925.tif 000010
【図９】
2016108925.tif 000011